(57)【要約】      （修正有）【課題】表示装置における基板の強度を向上させる。【解決手段】表示装置は、面２ａと、前記面２ａの反対側の面２ｂとを有する基板２と、前記基板２の前記面２ａに対向して設けられる少なくとも一つの対向部材と、前記基板２と、前記少なくとも一つの対向部材との間に配置された画素領域１４と、前記基板の前記面２ｂに設けられた補強部材２２と、を備えている。前記基板２は、前記少なくとも一つの対向部材と平面視重なる領域（対向領域）４０と、前記領域４０から延在されている延在部１０を有し、前記補強部材２２は、前記基板２の延在部１０と、前記領域４０と、に跨っている。【選択図】図２
2010072271.tif 000002
【特許請求の範囲】
【請求項１】
第１の面および前記第１の面の反対側の第２の面を有する基板と、
前記基板の前記第１の面に対向して設けられる少なくとも一つの対向部材と、
前記基板と、前記少なくとも一つの対向部材との間に配置された画素領域と、
前記基板の前記第２の面に設けられた補強部材と、を備え、
前記基板は、前記少なくとも一つの対向部材と平面視重なる領域と、前記領域から延在されている延在部と、を有し、
前記補強部材は、前記基板の前記延在部と、前記領域と、に跨っていることを特徴とする表示装置。
【請求項２】
前記補強部材は、前記延在部を覆っていることを特徴とする請求項１に記載の表示装置。
【請求項３】
前記基板の前記第２の面には、光学部材が具備され、前記光学部材は、前記領域において前記補強部材の少なくとも一部と接していることを特徴とする請求項１又は請求項２に記載の表示装置。
【請求項４】
前記基板の前記第２の面には、光学部材が具備され、前記光学部材は、前記領域において前記補強部材と離間していることを特徴とする請求項１又は請求項２に記載の表示装置。
【請求項５】
請求項１乃至請求項４のいずれか一項に記載の表示装置を備えたことを特徴とする電子機器。
【発明の詳細な説明】
【技術分野】
【０００１】
本発明は、表示装置、及び表示装置を備えた電子機器に関する。
【背景技術】
【０００２】
現在、携帯電話機、携帯情報端末機等の電子機器には、液晶表示装置に代表される電気光学装置が表示装置として好適に利用されている。
【０００３】
このような液晶表示装置は、例えばガラスやプラスチック等の材料から構成される透光性を有する一対の基板を所定のギャップを有するように互いに対向して貼り合わせ、その一対の基板間に電気光学物質としての液晶材料を封入させることにより構成されている。通常一対の基板のうち、一方の基板が他方の基板の端面よりも突出して延在した１枚基板で構成された延在部を有している。その延在部には液晶材料に電圧を印加する電子部品としてのドライバＩＣが実装されている（例えば特許文献１参照）。
【０００４】
【特許文献１】特開平８−１７９３４９号公報
【発明の開示】
【発明が解決しようとする課題】
【０００５】
近年、表示装置の薄型化や小型化などの要求に応じて基板自体が薄くなっているため、基板の強度向上が課題となっている。
【課題を解決するための手段】
【０００６】
本発明は、上記課題の少なくとも一部を解決するように、以下の形態、又は適用例として実現される。
【０００７】
［適用例１］表示装置が、第１の面および前記第１の面の反対側の第２の面を有する基板と、前記基板の前記第１の面に対向して設けられる少なくとも一つの対向部材と、前記基板と、前記少なくとも一つの対向部材との間に配置された画素領域と、前記基板の前記第２の面に設けられた補強部材と、を備えている。前記基板は、前記少なくとも一つの対向部材と平面視重なる領域と、前記領域から延在されている延在部を有し、前記補強部材は、前記基板の延在部と、前記領域と、に跨っている。
【０００８】
本適用例によれば、補強部材が基板の延在部と、領域とに跨って設けられているので、表示装置の基板に外的衝撃が生じた場合でも基板の延在部と領域との境、及びその近辺に応力が集中することを低減できる。そのため、基板が当該境、及びその近辺で割れる可能性が低下する。
【０００９】
［適用例２］前記補強部材は、前記延在部を覆っている。
【００１０】
本適用例によれば、補強部材が延在部を覆っているので、上記境、及びその近辺だけでなく延在部全体で基板が割れる可能性が低下する。
【００１１】
［適用例３］前記基板の前記第２の面には、光学部材が具備され、前記光学部材は、前記領域において前記補強部材の少なくとも一部と接している。
【００１２】
本適用例によれば、基板の第２の面には、補強部材を有するとともに光学部材を更に有している。更に、補強部材と光学部材とが接しているので、基板が割れる可能性が低下する。
【００１３】
［適用例４］前記基板の前記第２の面には、光学部材が具備され、前記光学部材は、前記領域において前記補強部材と離間している。
【００１４】
本適用例によれば、基板の第２の面には、補強部材を有するとともに光学部材とを更に有している。そのため、基板が割れる可能性が低下する。また、補強部材と光学部材とは離間しているので、補強部材と光学部材との熱膨張の差に起因することがなく、光学部材に光学的影響を与える虞がない。
【００１５】
［適用例５］本適用例に係る電子機器は、上記のいずれかの構成を適用した表示装置を備えている。
【００１６】
本適用例によれば、上記のいずれかの構成の表示装置を搭載した電子機器は、補強部材が基板の延在部と、領域とに跨って設けられているので、表示装置の基板に外的衝撃が生じた場合でも基板の延在部と領域との境、及びその近辺に応力が集中することを低減できる。そのため、基板が当該境、及びその近辺で割れる可能性が低下する。
【発明を実施するための最良の形態】
【００１７】
以下、図面を参照して本発明を実施する最良の形態について説明する。なお、本発明がこの形態に限定されないことはもちろんである。また、図面は、特徴的な部分を分かりやすく示すために実際の構成とは異なる比率で示している。
【００１８】
（第１の実施形態）
図１は、本発明に係る表示装置の一例である液晶表示装置１００の斜視図を示している。図２は、図１に示す矢印方向Ｘから見た部分側面断面図を示している。この液晶表示装置１００は液晶パネル３と、液晶パネル３を収容する保持体としてのフレーム（図示略）と、を有している。液晶パネル３は、互いに対向する基板１と基板２とを有している。基板１と基板２は、どちらも透光性を有するガラスやプラスチックから構成される。なお、本実施形態では、基板１は用語「対向部材」に含まれる。
【００１９】
基板２の端部位置は、基板１の端部位置よりも突出している。そこで、図２に示すように、基板２のうち、基板１に対して対向している基板２の部分を対向領域４０と表記し、基板１から突出している基板２の部分を延在部１０と表記する。そして、対向領域４０と延在部１０との堺を境界部９とする。境界部９には、基板１の端部位置（一端部１ｘの位置）が対応する。
【００２０】
さらに本実施形態では、基板１側の基板２の面を「面２ａ」と表記し、基板１側とは反対側の基板２の面を「面２ｂ」と表記する。同様に、基板２側の基板１の面を「面１ａ」と表記し、基板２側とは反対側の基板１の面を「面１ｂ」と表記する。
【００２１】
延在部１０での面２ａの端部側には、配線基板としてのＦＰＣ（Flexible Printed Circuit：フレキシブルプリント回路）基板４と、液晶材料に電圧を印加する電子部品としてのドライバＩＣ５と、がそれぞれ接着部材を介して実装されている。なお、液晶パネル３が透過型表示パネルや反射半透過型表示パネルの構成の場合には、基板２の面２ｂ側に照明装置（図示略）が設けられる。その場合、照明装置は液晶パネル３とともにフレームに収容される。
【００２２】
基板２の面２ａ上には、配線層１８が形成され、配線層１８上には複数の画素電極１２がマトリクス状に形成されている。一方、基板１の面１ａ上には対向電極１１が形成されている。そして、対向電極１１が複数の画素電極１２のすべてに対向するように、基板１と基板２とがシール材１３を介して貼り合わされている。基板１と基板２との間（要するに対向電極１１と複数の画素電極１２との間）には、電気光学材料としての液晶材料１５が封入されている。本実施形態では、複数の画素電極１２の一つと、一つの画素電極１２に対応する対向電極１１の部分と、それらの間の液晶層と、が画素領域１４である。画素領域１４は、文字や画像等を表示するための単位部分である。そして、複数の画素領域１４が、基板１と基板２との間で、基板１または基板２の平面に平行にマトリクス状に並んでいる。
【００２３】
複数の画素領域１４は、液晶パネル３において文字や画像等を表示する有効表示領域Ｖを規定する。図１において有効表示領域Ｖは二点鎖線で表されている。なお、図１では、分かりやすくするために有効表示領域Ｖを基板２側に示しているが、本来は基板１側に画像等が表示され視認可能となっている。
【００２４】
このような方式で液晶材料１５を駆動する液晶パネル３としては、ＴＮ（Twisted Nematic）方式、ＥＣＢ（Electrically Controlled Birefringence）方式、あるいはＶＡＮ（Vertical Aligned Nematic）方式などが挙げられる。なお、基板１の面１ａに共通電極等の対向電極が形成されないＩＰＳ（In Plane Switching）方式やＦＦＳ（Fringe Field Switching）方式で駆動する液晶パネル３を用いることもできる。
【００２５】
図３（ａ）、（ｂ）に示すように、基板１の面１ｂに偏光板６が設けられ、基板２の面２ｂに偏光板７が設けられている。偏光板６と偏光板７とは、どちらも光学部材の一例である。偏光板６も偏光板７も、偏光板６，７の法線方向から見た場合、平面視で有効表示領域Ｖを覆っている。ただし、基板２の面２ｂに設けられた偏光板７の境界部９側の一端部７ｘは、有効表示領域Ｖと境界部９との間に位置している。一方、基板１の面１ｂに設けられた偏光板６の境界部９側の一端部６ｘ（図２）は、本実施形態では基板１の一端部１ｘまで形成されている。
【００２６】
また、基板２の面２ｂには、延在部１０にて補強部材２２が固定されている。補強部材２２は、スペーサ２０と、スペーサを面２ｂに固定させるための接着部材２１とで構成される。なお、スペーサ２０自体が粘着性を有する場合は、スペーサ２０単体で補強部材２２とする。このように、スペーサ２０は、接着、粘着、又はその他の方法を用いて基板２の面２ｂに設けられている。スペーサ２０は、例えばＰＥＴ（ポリエチレンテレフタレート）、ポリカーボネート等の樹脂で構成されている。
【００２７】
また、補強部材２２の外表面（補強部材２２の基板２側とは反対側の面）の基板２の面２ｂの表面からの高さｈ１は偏光板７の外表面（基板２側とは反対側の偏光板７の面）の基板２の面２ｂの表面からの高さｈ２と略同じ高さであることが好ましい。高さｈ１と高さｈ２とが略同じであれば補強部材２２、及び偏光板７の基板２とは反対面側に何等かの部材が存在する場合、その部材との間で段差が形成されることがない。例えば、補強部材２２、及び偏光板７の基板２とは反対面側に更に他の光学部材、例えば位相差板、プリズムシート、及び導光板（いずれも図示略）等が配置される場合がある。そのような場合、フレームに他の光学部材や液晶パネル３を収容する際に、高さｈ１と高さｈ２とが異なってしまうと、他の光学部材との間で段差が形成され、がたつきが生じる虞がある。ただし、本発明においては、これら他の光学部材を設けることは必須ではないので、高さｈ１と高さｈ２とが異なっても良い。
【００２８】
また、補強部材２２が基板２の面２ｂにおいて、延在部１０、境界部９、及び対向領域４０に跨って位置している。また、更に、補強部材２２の一端部２０ｘは偏光板７の一端部７ｘと接している。
【００２９】
補強部材２２が基板２の面２ｂ上で、延在部１０、境界部９、及び対向領域４０の一部とに跨って位置していることにより、仮に液晶表示装置１００の落下等により、液晶パネル３に外的衝撃が与えられた場合であっても、延在部１０、境界部９、及び対向領域４０の一部が補強部材２２によって覆われているので、その衝撃により境界部９、及びその周辺に応力が集中することを低減することができる。言い換えれば、延在部１０、境界部９、及び対向領域４０の一部が補強部材２２によって覆われているので、境界部９、及びその周辺に掛かる応力を補強部材２２へ分散させることができる。そのため、延在部１０が割れてしまうことを抑制することができる。また、延在部１０が撓もうとすることを低減することができる。その結果、延在部１０の強度を向上させることができる。また、補強部材２２の一端部２０ｘとは反対側の他端部２０ｙを基板２の端部２ｘまで延在させ、延在部１０全体を覆う形状に補強部材２２を設ける構成にすることにより、延在部１０の更なる強度の向上を図ることができる。
【００３０】
（第２の実施形態）
図４（ａ）は、本発明に係る表示装置の一例であり、液晶表示装置１００ｘを用いた他の実施形態の斜視図を示している。図４（ｂ）は、図４（ａ）の液晶表示装置１００ｘにおける切断線Ｂ−Ｂ’に沿った断面図を示す。この液晶表示装置１００ｘが第１の実施形態における構成と異なる部分は補強部材２２の一端部２０ｘの位置であり、その他の構成は先の実施例と同じである。
【００３１】
第２の実施形態では、補強部材２２は、基板２の面２ｂにおいて、延在部１０、境界部９、及び対向領域４０に跨って位置している。ただし、補強部材２２の一端部２０ｘは偏光板７の一端部７ｘとは接せずに離間する位置に設けられている。
【００３２】
補強部材２２の一端部２０ｘが基板２の面２ｂ上で、偏光板７の一端部７ｘと離間する位置に設けられていることにより、補強部材２２に何らかの熱応力が発生したとしても、補強部材２２から偏光板７へは熱が伝わることはなく、偏光板７への熱に起因した光学的影響を低減することができる。一般的に、補強部材２２に含まれるスペーサ２０の材料としての樹脂材料は、熱伝導率が低いため、第１の実施形態のように補強部材２２と偏光板７の一端部７ｘとが接していても偏光板７に熱が伝わる虞は低い。しかし、補強部材２２の一端部２０ｘと偏光板７の一端部７ｘとを離間させることによって、補強部材２２から偏光板７に熱が伝わることをより確実に防止することができる。
【００３３】
また、補強部材２２の一端部２０ｘと偏光板７の一端部７ｘとは離間して設けられているが、補強部材２２が延在部１０、境界部９、及び対向領域４０に跨って位置しているので、境界部９、及びその周辺に掛かる応力を補強部材２２へ分散させることができる。そのため、延在部１０が割れてしまうことを抑制することができる。また、境界部９を支点として延在部１０が撓もうとすることを低減することができる。その結果延在部１０の強度を向上させることができる。
【００３４】
（第１の変形例）
図５は、本発明にかかる表示装置の一例である液晶表示装置１００ｙを用いた第１の変形例を示している。上記各実施形態では、補強部材２２の他端部２０ｙは基板２の端部２ｘまで延在させ、補強部材２２は延在部１０全体を覆っていた。しかし、これに限られるものではなく、本変形例では、延在部１０が撓もうとすることを低減させるという観点から補強部材２２が延在部１０、境界部９、及び対向領域４０に跨って位置していれば良いので、補強部材２２の他端部２０ｙを基板２の端部２ｘよりも偏光板７側に位置するように設けている。すなわち、本変形例では補強部材２２の一端部２０ｘは有効表示領域Ｖと境界部９との間に位置し、補強部材２２の他端部２０ｙは基板２の端部２ｘと境界部９との間に位置するように設けている。このように本変形例のような構成であっても、補強部材２２が延在部１０の一部、境界部９、及び対向領域４０に跨って位置することになるので、境界部９、及びその周辺に掛かる応力を補強部材２２へ分散させることができる。そのため、延在部１０が割れてしまうことを抑制することができる。また、境界部９を支点として延在部１０が撓もうとすることを低減することができる。その結果延在部１０の強度を向上させることができる。
【００３５】
（第２の変形例）
図６は、本発明にかかる表示装置の一例である液晶表示装置１００ｚを用いた第２の変形例を示している。上記各実施形態では、補強部材２２は、基板２の端部２ｘと境界部９とを結ぶ方向と直交する方向（以下、幅方向と表記する）において、基板２の幅方向全幅に亘って設けられていた。しかし、これに限られるものではなく、本変形例では、基板２の幅方向の一部に設けられる構成としている。このように基板２の幅方向の一部で補強部材２２を設けることとしても、補強部材２２が延在部１０、境界部９、及び対向領域４０に跨って位置することになるので、境界部９、及びその周辺に掛かる応力を補強部材２２へ分散させることができる。そのため、延在部１０が割れてしまうことを抑制することができる。また、境界部９を支点として延在部１０が撓もうとすることを低減することができる。その結果延在部１０の強度を向上させることができる。
【００３６】
また、補強部材２２を設ける位置は、基板２の幅方向において特に限定されるものではない。ドライバＩＣ５が基板２の面２ａの幅方向のうちどちらか一方側に片寄って実装されている場合には、補強部材２２をドライバＩＣ５と平面的に重なる領域、若しくはドライバＩＣ５が片寄って設けられた位置とは反対側のドライバＩＣ５とは平面的に重ならない領域に設けるようにしても良い。また、補強部材２２をドライバＩＣ５と平面的に重なる領域とドライバＩＣ５とは平面的に重ならない領域とに跨った領域に設けるようにしても良い。ドライバＩＣ５が複数設けられている場合には、それぞれのドライバＩＣ５と平面的に重なるように、若しくは平面的に重ならないように補強部材２２を一つ、若しくは複数設けるようにしても良い。
【００３７】
（電子機器）
上記の各実施形態、及び各変形例に係る液晶表示装置を備えた電子機器の具体例について図７を参照して説明する。
【００３８】
液晶表示装置１００、１００ｘ、１００ｙ、及び１００ｚ（以下これらを代表して「液晶表示装置１０００」と表記する。）を携帯電話機６００の表示部５００として適用した例について説明する。図７は、この携帯電話機６００の構成を示す斜視図である。携帯電話機６００は、複数の操作ボタン２００の他、受話口３００、送話口４００、及び液晶表示装置を適用した表示部５００を備えている。
【００３９】
なお、液晶表示装置１０００が適用可能な電子機器としては、携帯電話機６００の他にも、パーソナルコンピュータ、携帯情報端末機、液晶テレビ、ビューファインダ型・モニタ直視型のビデオテープレコーダ、カーナビゲーション装置、ページャ、電子手帳、電卓、ワードプロセッサ、ワークステーション、テレビ電話装置、ＰＯＳ端末、デジタルスチルカメラ、電子ブック等が挙げられる。
【００４０】
その他、本発明の上記各実施形態、及び上記各変形例は、上記各構成に限定されるものでなくその趣旨を逸脱しない範囲において種々の変形及び組み合わせをすることが可能である。
【００４１】
例えば、上記各実施形態、及び各変形例では、表示装置の一例として液晶表示装置を例示したが、他の表示装置として、例えば有機ＥＬディスプレイ（Organic Electroluminescence Display：ＯＬＥＤ）装置を適用することができる。
【００４２】
図８は、本発明にかかる表示装置の一例として有機ＥＬディスプレイ６０を適用した例の部分側面断面図を示している。有機ＥＬディスプレイ６０は、ガラス等の基板６１と、基板６１上に形成された配線層１８’と、配線層１８’上に形成された複数の陽極６３と、複数の陽極６３に対応している陰極６４と、複数の陽極６３と陰極６４との間にそれぞれ位置した複数の発光層６２と、離間部材６９と、封止部材７０と、対向部材としての保護部材６５と、を備えている。保護部材６５は、平面視で複数の発光層６２を全て覆うように配置されている。離間部材６９は、陰極６４と保護部材６５との間に空隙が形成されるように、基板６１と保護部材６５との間に位置している。そして封止部材７０が、陰極６４と保護部材６５との間の空隙を埋めている。封止部材７０は、好適には接着剤である。封止部材７０と保護部材６５とは、大気中から複数の発光層６２へ水分が侵入することを防ぐ働きをする。
【００４３】
なお、一つの陽極６３と、一つの陽極６３に対応した陰極６５の部分と、これらの間の発光層６４が、本実施形態の画素領域に対応する。
【００４４】
さて、液晶表示装置と同様に、基板６１の端部位置は、保護部材６５の端部位置よりも突出している。基板６１のうち、保護部材６５に対して対向している基板６１の部分を対向領域６７とし、基板６１から突出している基板６１の部分を延在部６６とする。そして、対向領域６７と延在部６６との境を境界部６８とする。境界部６８には、保護部材６５の端部位置が対応する。さらに、保護部材６５側の基板６１の面を「面６１ａ」とし、保護部材６５側とは反対側の基板６１の面を「面６１ｂ」とする。
【００４５】
そして、各実施形態及び各変形例と同様に、延在部６６の面６１ａ側には、配線基板としてのＦＰＣ基板４’と電子部品としてのドライバＩＣ５’と、がそれぞれ接着部材を介して実装されている。また、基板６１の面６１ａとは反対側の面６１ｂ側において延在部６６、境界部６８、及び対向領域６７に跨って補強部材２２’を設けている。なお、補強部材２２’は補強部材２２と同様にスペーサ２０’と接着部材２１’とを含んでいる。もちろんスペーサ２０’単体で補強部材２２’とすることもできる。
【００４６】
仮に有機ＥＬディスプレイ装置に落下等による外的衝撃が与えられた場合でも、補強部材２２’が延在部６６、境界部６８、対向領域６７に跨って設けられるので、境界部６８、及びその周辺に掛かる応力を補強部材２２’へ分散させることができる。そのため、延在部６６が割れてしまうことを抑制することができる。また、境界部６８を支点として延在部６６が撓もうとすることを低減することができる。その結果、延在部６６の強度を向上させることができる。
【００４７】
上記各実施形態及び各変形例においては、延在部１０（延在部６６）は１辺として例示したが、２辺以上の延在部１０（延在部６６）を備えていても良い。それぞれの辺の延在部１０（延在部６６）、境界部９（境界部６８）、及び対向領域４０（対向領域６７）を跨ってそれぞれの補強部材２２（補強部材２２’）を設けるようにしても良い。
【００４８】
また、上記各実施形態及び各変形例においては、液晶表示装置及び有機ＥＬディスプレイ装置に本発明を適用した。本発明は、その他の表示装置、例えばプラズマディスプレイ装置、無機ＥＬ装置、電気泳動表示装置、フィールドエミッションディスプレイ装置等にも適用できる。
【図面の簡単な説明】
【００４９】
【図１】表示装置としての液晶表示装置を示す斜視図。
【図２】図１の矢印方向Ｘから見た部分側面断面図。
【図３】（ａ）は第１実施形態の液晶表示装置の斜視図であり、（ｂ）は（ａ）の切断線Ａ−Ａ´に沿った液晶表示装置の断面図である。
【図４】（ａ）は第２実施形態の液晶表示装置の斜視図であり、（ｂ）は（ａ）の切断線Ａ−Ａ´に沿った液晶表示装置の断面図である。
【図５】第１の変形例の液晶表示装置の斜視図。
【図６】第２の変形例の液晶表示装置の斜視図。
【図７】電子機器としての携帯電話機を示す斜視図。
【図８】表示装置として有機ＥＬディスプレイ装置を示す部分側面断面図。
【符号の説明】
【００５０】
１，２…基板、１ａ，１ｂ，２ａ，２ｂ…面、３…液晶パネル、４…ＦＰＣ基板、５…ドライバＩＣ、６，７…偏光板、９…境界部、１０…延在部、２０…スペーサ、２１…接着部材、２２…補強部材、４０…対向領域
【図１】
2010072271.tif 000003
【図２】
2010072271.tif 000004
【図３】
2010072271.tif 000005
【図４】
2010072271.tif 000006
【図５】
2010072271.tif 000007
【図６】
2010072271.tif 000008
【図７】
2010072271.tif 000009
【図８】
2010072271.tif 000010